(57)【要約】  ネットワークノードへの無線装置のネットワークアクセスのために無線装置によって実行される方法が開示される。この方法は、ネットワークノードへのアクセス試行を開始すること、アクセスカテゴリのための第１の層内のアクセス制御インジケータがＯＮであるかどうかを判定するためにネットワークノードからアクセス制御情報（ＡＣＩ）の第１の層を読み取ることを含む。アクセスカテゴリのためのアクセス制御インジケータは、ネットワークノードへの無線装置によるアクセス試行の特性／分類に関連付けられる。さらに、この方法は、アクセスカテゴリのための第１の層内のアクセス制御インジケータがＯＮであることに応答して、ＡＣＩの第２の層内のアクセスカテゴリに関連付けられた１つまたは複数の特定のパラメータに基づいて、ネットワークノードへのアクセス試行が許可されるかどうかを判定するために、ネットワークノードからＡＣＩの第２の層を読み取ることを含む。
2020511855.tif 000002
【特許請求の範囲】
【請求項１】
無線装置のネットワークノードへのネットワークアクセスのための方法であって、
前記ネットワークノードへのアクセス試行を開始するステップと、
アクセスカテゴリのための第１の層内のアクセス制御インジケータがオンであるかどうかを判定するために、前記ネットワークノードからアクセス制御情報（ＡＣＩ）の前記第１の層を読み取るステップであって、前記アクセスカテゴリのための前記アクセス制御インジケータは、前記ネットワークノードへの前記無線装置による前記アクセス試行の特性および分類のうち少なくとも一方に関連付けられる、ステップと、
前記アクセスカテゴリに関する前記第１の層のアクセス制御インジケータがオンであることに応答して、前記ＡＣＩの第２の層のアクセスカテゴリに関連する１つまたは複数の特定のパラメータに基づいて、前記ネットワークノードへのアクセス試行が許可されるかどうかを判定するために、前記ネットワークノードから前記ＡＣＩの前記第２の層を読み取るステップと、を含む方法。
【請求項２】
前記アクセスカテゴリに対応する少なくとも１つの値タグを含むアクセス試行構成（ＡＡＣ）を前記ネットワークノードから受信するステップをさらに含む、請求項１に記載の方法。
【請求項３】
前記アクセスカテゴリに関連付けられた更新があるかどうかを判定するために、値タグのチェックを実行するステップをさらに含む、請求項２に記載の方法。
【請求項４】
前記少なくとも１つの値タグが更新されていない場合、前記ＡＡＣを使用して、前記ネットワークノードへの前記アクセス試行が許可されるかどうかを判定する、請求項３に記載の方法。
【請求項５】
前記少なくとも１つの値タグが更新された場合、前記ＡＣＩの前記第２の層を使用して、前記ＡＣＩの前記第２の層内の前記アクセスカテゴリに関連付けられた前記１つまたは複数の特定のパラメータに基づいて、前記ネットワークノードへの前記アクセス試行が許可されるかどうかを判定するステップをさらに含む、請求項３に記載の方法。
【請求項６】
前記ＡＡＣは、前記ネットワークノードによって構成され、前記無線装置のアクセスクラス、前記ＡＣＩのデフォルト設定および現在の設定のうちの少なくとも１つの情報を含む、請求項２に記載の方法。
【請求項７】
前記無線装置のアクセスクラスは、前記無線装置のＩＤ、サービス品質（ＱｏＳ）要件、およびデータサイズのうちの少なくとも１つに基づいて、前記ネットワークノードによって動的に割り当てられる、請求項６に記載の方法。
【請求項８】
前記アクセスカテゴリに対する前記第１の層の前記アクセス制御インジケータがオフであることに応答して、前記ＡＣＩの前記第２の層を読み取ることなく、前記ネットワークノードへのアクセスを取得するためのアクセス処理を実行するステップをさらに含む、請求項１記載の方法。
【請求項９】
前記ＡＣＩの前記第１の層は、前記無線装置の無線リソース制御（ＲＲＣ）状態に基づいて分類され、アクセス制御指示および共通パラメータを含む、請求項１に記載の方法。
【請求項１０】
前記無線装置は、ＲＲＣ不活性（ＲＲＣ＿Ｉｎａｃｔｉｖｅ）状態、ＲＲＣ＿Ｃｏｎｎｅｃｔｅｄ（ＲＲＣ接続）状態、およびＲＲＣアイドル（ＲＲＣ＿Ｉｄｌｅ）状態のうちの１つの状態において前記アクセス試行を行う、請求項９に記載の方法。
【請求項１１】
前記ＡＣＩの前記第１の層は、前記ネットワークノードによって、最小システム情報を介してブロードキャストされる、請求項１に記載の方法。
【請求項１２】
前記アクセスカテゴリに対する前記第１の層の前記アクセス制御インジケータがオンであることに応答して、前記少なくとも１つの値タグが更新されたとき、前記無線装置によって、前記ネットワークノードから、前記ＡＣＩの前記第２の層を要求するステップと、
他のシステム情報を介して前記要求に応答して、前記ネットワークノードによって、前記ＡＣＩの前記第２の層を前記無線装置に送信するステップと、をさらに含む、請求項１記載の方法。
【請求項１３】
前記アクセスカテゴリは、ランダムアクセス処理、ＲＡＮベースの通知領域（ＲＮＡ）、ＲＲＣ状態遷移、アプリケーション、ネットワークスライス、ＲＡＮスライス、サービス品質（ＱｏＳ）要件、およびデータサイズのうちの少なくとも１つに関連付けられる、請求項１に記載の方法。
【請求項１４】
前記アクセスカテゴリは、ＲＮＡアップデートが前記ＡＣＩによって制御されるようなＲＮＡアップデートである、請求項１に記載の方法。
【請求項１５】
ネットワークノードへの無線装置のネットワークアクセスのための無線装置であって、
前記無線装置は、１つまたは複数のプロセッサと、
前記１つまたは複数のプロセッサのうちの少なくとも１つによって実行可能なプログラムを格納する非一時的な機械可読メモリを備え、
前記プログラムは、
前記ネットワークノードへのアクセス試行を開始することと、
アクセスカテゴリのための第１の層内のアクセス制御インジケータがオンであるかどうかを判定するために、前記ネットワークノードからアクセス制御情報（ＡＣＩ）の第１の層を読み取ることであって、前記アクセスカテゴリのための前記アクセス制御インジケータは、前記ネットワークノードへの前記無線装置による前記アクセス試行の特性および分類の少なくとも一方に関連付けられることと、
前記アクセスカテゴリに関する前記第１の層の前記アクセス制御インジケータがオンであることに応答して、前記ＡＣＩの第２の層の前記アクセスカテゴリに関連する１つまたは複数の特定のパラメータに基づいて、前記ネットワークノードへの前記アクセス試行が許可されるかどうかを判定するために、前記ネットワークノードから前記ＡＣＩの第２の層を読み取ることのための命令のセットを含む、無線装置。
【請求項１６】
前記プログラムは、前記ネットワークノードからアクセス試行構成（ＡＡＣ）を受信するための命令のセットをさらに含み、前記ＡＡＣは、前記アクセスカテゴリに対応する少なくとも１つの値タグを含む、請求項１５に記載の無線装置。
【請求項１７】
前記プログラムは、前記アクセスカテゴリに関連付けられた更新があるかどうかを判定するために、値タグのチェックを実行するための命令のセットをさらに含む、請求項１６に記載の無線装置。
【請求項１８】
前記少なくとも１つの値タグが更新されていない場合、前記ＡＡＣを使用して、前記ネットワークノードへの前記アクセス試行が許可されるかどうかを判定する、請求項１７に記載の無線装置。
【請求項１９】
前記プログラムは、
少なくとも１つの値タグが更新された場合、前記ＡＣＩの前記第２の層を使用して、前記ＡＣＩの前記第２の層内の前記アクセスカテゴリに関連付けられた１つまたは複数の特定のパラメータに基づいて、前記ネットワークノードへの前記アクセス試行が許可されるかどうかを判定するための命令のセットをさらに含む、請求項１７に記載の無線装置。
【請求項２０】
前記ＡＡＣは、前記ネットワークノードによって構成され、前記無線装置のアクセスクラス、前記ＡＣＩのデフォルト設定および現在の設定のうちの少なくとも１つの情報を含む、請求項１６に記載の無線装置。
【請求項２１】
前記無線装置のアクセスクラスは、前記無線装置のＩＤ、サービス品質（ＱｏＳ）要件、およびデータサイズのうちの少なくとも１つに基づいて、前記ネットワークノードによって動的に割り当てられる、請求項２０に記載の無線装置。
【請求項２２】
前記プログラムは、前記アクセスカテゴリに対する前記第１の層の前記アクセス制御インジケータがオフであることに応答して、前記ＡＣＩの前記第２の層を読み取ることなく前記ネットワークノードへのアクセスを取得するためのアクセス処理を実行するための命令のセットをさらに含む、請求項１５に記載の無線装置。
【請求項２３】
前記ＡＣＩの前記第１の層は、前記無線装置の無線リソース制御（ＲＲＣ）状態に基づいて分類され、アクセス制御指示および共通パラメータを含む、請求項１５に記載の無線装置。
【請求項２４】
前記無線装置は、ＲＲＣ不活性（ＲＲＣ＿Ｉｎａｃｔｉｖｅ）状態、ＲＲＣ＿Ｃｏｎｎｅｃｔｅｄ（ＲＲＣ接続）状態、およびＲＲＣアイドル（ＲＲＣ＿Ｉｄｌｅ）状態のうちの１つの状態においてアクセス試行を行う、請求項２３に記載の無線装置。
【請求項２５】
前記プログラムは、前記アクセスカテゴリに対する前記第１の層における前記アクセス制御インジケータがオンであることに応答して、前記少なくとも１つの値タグが更新されたときに、前記無線装置によって、前記ネットワークノードから、前記ＡＣＩの前記第２の層を要求するため命令のセットをさらに含む、請求項１５に記載の無線装置。
【請求項２６】
ネットワークノードへの無線装置のネットワークアクセスのためのネットワークノードであって、
前記ネットワークノードは、１つまたは複数のプロセッサと、プログラムを格納する非一時的な機械可読メモリを備え、
前記プログラムは、前記１つまたは複数のプロセッサのうちの少なくとも１つによって実行可能であり、前記プログラムは、
１つまたは複数のアクセスカテゴリに対応する１つまたは複数のアクセス制御インジケータを有するアクセス制御情報（ＡＣＩ）の第１の層を前記無線装置に提供し、
要求に応じて、前記無線装置に前記ＡＣＩの第２の層を提供するための命令のセットを含み、
前記無線装置は、前記ネットワークノードへの前記無線装置によるアクセス試行の特性および分類のうち少なくとも一方に関連する前記ＡＣＩの前記第１の層内の１つまたは複数のアクセス制御インジケータのうちの少なくとも１つがオンであるときに、前記ＡＣＩの前記第２の層を要求する、ネットワークノード。
【請求項２７】
前記プログラムは、前記アクセスカテゴリに対応する少なくとも１つの値タグを含むアクセス試行構成（ＡＡＣ）を前記無線装置に提供するための命令のセットをさらに含む、請求項２６に記載のネットワークノード。
【請求項２８】
前記ネットワークノードは、前記無線装置のＩＤ、サービス品質（ＱｏＳ）要件、およびデータサイズのうちの少なくとも１つに基づいて、前記無線装置のアクセスクラスを動的に割り当てる、請求項２６に記載のネットワークノード。
【請求項２９】
前記アクセスカテゴリは、ランダムアクセス処理、ＲＡＮベースの通知領域（ＲＮＡ）、ＲＲＣ状態遷移、アプリケーション、ネットワークスライス、ＲＡＮスライス、サービス品質（ＱｏＳ）要件、およびデータサイズのうちの少なくとも１つに関連付けられる、請求項２６に記載のネットワークノード。
【発明の詳細な説明】
【技術分野】
【０００１】
本開示は、概論的には無線通信方法およびシステムに関し、より詳細には、次世代無線通信ネットワークのためのアクセス制御に関する。
【背景技術】
【０００２】
第３世代パートナーシップ・プロジェクト（３ＧＰＰ）では、現在、ＮＲ（Ｎｅｗ  Ｒａｄｉｏ）とも呼ばれる次世代無線通信ネットワークのプロトコル開発を進めている。ＮＲは、セルラーアクセスのための新しいユースケースを可能にし、また、既存のデータアプリケーションのための容量を増加させる。ＮＲ下のシステムの容量が増加し得るとしても、システムの基地局（例えば、次世代ノードＢ（ｇＮＢ））および／またはコアネットワーク（ＣＮ）が過負荷になり得る状況が依然として存在し得る。例えば、システムの過負荷は、多数のユーザ機器（ＵＥ）がシステムに同期して（例えば、同時に）アクセスしようと試みる場合に発生し得る。
【０００３】
ＬＴＥ（ｌｏｎｇ  ｔｅｒｍ  ｅｖｏｌｕｔｉｏｎ）、進化ＬＴＥ（ｅＬＴＥ）、またはＬＴＥ−Ａ（ＬＴＥ−Ａｄｖａｎｃｅｄ）などの第４世代（４Ｇ）無線ネットワークでは、無線アクセスネットワーク（ＲＡＮ）またはＣＮが過負荷になったときに、ＲＡＮがアクセス制御をアクティブにする役割を果たす。例えば、４Ｇ無線ネットワーク下の現在のアクセス制御法は、ＲＡＮ（例えば、ＲＡＮベース）において実行されてもよく、ＲＡＮは、主に低優先度のＵＥが、ＲＲＣアイドル状態（RRC_IDLE state）からＲＲＣ接続状態（RRC_CONNECTED state）に遷移するために、ランダムアクセス処理を実行しようと試みることを阻止する。すなわち、ＲＡＮまたはＣＮが過負荷である時は、ＲＡＮは、所定の時間、低優先度のＵＥが無線ネットワークにアクセスすることを禁止することができる。
【０００４】
現在の３ＧＰＰ標準の議論に基づいて、現在のＲＲＣ接続状態およびＲＲＣアイドル状態に加えて、新しいＲＲＣ状態である、ＲＲＣ不活性状態（RRC_INACTIVE state）がＮＲ無線ネットワークに導入される。ＮＲ無線ネットワーク下のＲＲＣ不活性状態は、基地局（例えば、ｇＮＢ）によって構成され、ＣＮには認識できない（invisible）。例えば、基地局（例えば、ｇＮＢ）が、ＵＥをＲＲＣ接続状態からＲＲＣ不活性状態にサスペンドする場合、ＣＮは、そのような通知を受信することができず、依然として、ＵＥをＲＲＣ接続状態にあるとみなすことがあり得る。ＲＲＣ不活性状態にある間、ＵＥは、ＲＲＣ状態を遷移することなく（例えば、ＲＲＣ不活性状態からＲＲＣ接続状態に遷移することなく）、アップリンク（ＵＬ）データをベース状態（例えば、ｇＮＢ）に転送することができる。
【０００５】
レガシー４Ｇ無線ネットワークでは、ＣＮが過負荷になり、トラフィックをブロックまたは禁止するための命令をＲＡＮに送信すると、ＲＡＮは、ＲＲＣアイドル状態のＵＥが、データ送信のために、ＲＲＣ接続状態へのＲＲＣ状態遷移を実行することを禁止またはブロックするために、禁止パラメータを設定することができる。しかしながら、４Ｇ無線ネットワーク下でのアクセス制御スキームは、ＲＲＣ接続状態に遷移することなく基地局への直接データアップリンク送信が可能な、新たに導入されたＲＲＣ不活性ＵＥ（RRC_INACTIVE UE）を考慮に入れていない。したがって、レガシー４Ｇ無線ネットワークは、基地局および／またはＣＮが過負荷である場合、ＲＲＣ不活性ＵＥを効果的に扱うことができない。
【０００６】
例えば、ＲＲＣ不活性ＵＥが無線ネットワークに存在し、ＣＮが、ＲＡＮ下のいくつかのＵＥがＲＲＣ不活性状態にサスペンドされていることを認識しない（例えば、一時的にアップロードするデータを有さない）場合、ＣＮは、ＲＲＣ不活性ＵＥの存在のために、ＲＡＮ内のネットワークのトラフィックを過小評価し得る。すなわち、ＣＮは、ＲＲＣ不活性ＵＥがＲＲＣ接続状態にあると認識することがあり得、ネットワークトラフィックの推定のために、それらの現在のデータ速度を使用することがあり得る。しかし、これらのＲＲＣ不活性ＵＥが（例えば、２ステップまたは４ステップＲＡＣＨ処理を使用して）それらの基地局へのデータの転送を開始すると、実際のデータトラフィックは、ＣＮが最初に推定したものよりも大きくなり（例えば、ＲＡＮは、ＲＲＣ不活性ＵＥからＣＮへの追加のトラフィックを引き続きもたらし）、それによって、トラフィック状況を悪化させ、基地局および／またはＣＮに過剰の負荷をかける。
【０００７】
したがって、トラフィックの状態に基づいて、アクセス制御カテゴリ化およびサブカテゴリ化（例えば、除外因子）を動的に割り当てることによって、トラフィックをブロックし、ＮＲにおけるＲＲＣ状態のそれぞれを考慮し、管理し、無線リソースを節約し（例えば、無線リソースの不必要な消費を停止し）、特定のＵＥからの優先度の高いトラフィック、データ、および／またはアプリケーションのために基地局および／またはＣＮの処理容量を保存するために、NEW RADIOネットワークにおけるアクセス制御が必要とされている。
【発明の概要】
【０００８】
本開示は、NEW RADIOにおけるアクセス制御に関する。
【０００９】
第１の態様では、ネットワークノード（例えば、基地局）への無線装置（例えば、ＵＥ）のネットワークアクセスのための方法が開示される。前記方法は、ネットワークノードへのアクセス試行を開始することを含む。前記方法は、アクセスカテゴリのための第１の層におけるアクセス制御インジケータがＯＮであるかどうかを判定するために、ネットワークノードからアクセス制御情報（ＡＣＩ）の第１の層を読み取ることを含む。前記アクセスカテゴリのためのアクセス制御インジケータは、無線装置によるネットワークノードへのアクセス試行の特性／分類に関連付けられる。前記方法は、アクセスカテゴリのための第１の層におけるアクセス制御インジケータがＯＮであることに応答して、ＡＣＩの第２の層におけるアクセスカテゴリに関連付けられた１つまたは複数の特定のパラメータに基づいて、ネットワークノードへのアクセス試行が許可されるかどうかを判定するために、ネットワークノードからＡＣＩの第２の層を読み取ることを含む。
【００１０】
第１の態様の実施形態では、方法は、ネットワークノードからアクセス試行構成（ＡＡＣ）を受信することをさらに含み、ＡＡＣは、アクセスカテゴリに対応する少なくとも１つの値タグを含む。
【００１１】
第１の態様の別の実施形態では、方法は、アクセスカテゴリに関連付けられた更新があるかどうかを判定するために、値タグのチェックを実行することをさらに含む。
【００１２】
第１の態様の別の実施形態では、少なくとも１つの値タグが更新されていない場合、ＡＡＣを使用して、ネットワークノードへのアクセス試行が許可されるかどうかを判定する。
【００１３】
第１の態様の別の実施態様では、方法は、少なくとも１つの値タグが更新されたときに、ＡＣＩの第２の層を使用して、ＡＣＩの第２の層内のアクセスカテゴリに関連付けられた１つまたは複数の特定のパラメータに基づいて、ネットワークノードへのアクセス試行が許可されるかどうかを判定することをさらに含む。
【００１４】
第１の態様の別の実施形態では、ＡＡＣは、ネットワークノードによって構成され、無線装置のアクセスクラス、ならびにＡＣＩのデフォルト設定および現在の設定のうちの少なくとも１つの情報を含む。
【００１５】
第１の態様の別の実施形態では、無線装置のアクセスクラスは、無線装置のＩＤ、サービス品質（ＱｏＳ）要件、およびデータサイズのうちの少なくとも１つに基づいて、ネットワークノードによって動的に割り当てられる。
【００１６】
第１の態様の別の実施形態では、方法は、アクセスカテゴリの第１の層内のアクセス制御インジケータがオフであることに応答して、ＡＣＩの第２の層を読み取ることなく、ネットワークノードへのアクセスを取得するためのアクセス処理を実行することをさらに含む。
【００１７】
第１の態様の別の実施形態では、ＡＣＩの第１の層は、無線装置の無線リソース制御（ＲＲＣ）状態に基づいて分類され、アクセス制御指示および共通パラメータを含む。
【００１８】
第１の態様の別の実施形態では、無線装置は、ＲＲＣ不活性（ＲＲＣ＿Ｉｎａｃｔｉｖｅ）状態、ＲＲＣ接続（ＲＲＣ＿Ｃｏｎｎｅｃｔｅｄ）状態、およびＲＲＣアイドル（ＲＲＣ＿Ｉｄｌｅ）状態のうちの１つでアクセス試行を行う。
【００１９】
第１の態様の別の実施形態では、ネットワークノードによって、ＡＣＩの第１の層は、最小システム情報を介してブロードキャストされる。
【００２０】
第１の態様の別の実施形態では、方法は、アクセスカテゴリについての第１の層内のアクセス制御インジケータがオンであることに応答して、少なくとも１つの値タグが更新されたときに、無線装置によるＡＣＩの第２の層をネットワークノードに要求することと、他のシステム情報を介した要求に応答して、ネットワークノードによって、ＡＣＩの第２の層を無線装置に送信することとをさらに含む。
【００２１】
第１の態様の別の実施形態では、アクセスカテゴリは、ランダムアクセス処理、ＲＡＮベースの通知領域（ＲＮＡ）、ＲＲＣ状態遷移、アプリケーション、ネットワークスライス、ＲＡＮスライス、サービス品質（ＱｏＳ）要件、およびデータサイズのうちの少なくとも１つに関連付けられる。
【００２２】
第１の態様の別の実施態様では、アクセスカテゴリは、ＲＮＡアップデートがＡＣＩによって制御されるようなＲＮＡアップデートである。
【００２３】
第２の態様では、ネットワークノード（例えば、基地局）への無線装置のネットワークアクセスのための無線装置（例えば、ＵＥ）が開示される。無線装置は、１つまたは複数のプロセッサと、プログラムを格納する非一時的な機械可読メモリとを備え、プログラムは、１つまたは複数のプロセッサのうちの少なくとも１つによって実行可能であり、プログラムは、以下のことを実行するための命令のセットを含む：ネットワークノードへのアクセス試行を開始すること。；アクセスカテゴリのための第１の層内のアクセス制御インジケータがオンであるかどうかを判定するために、ネットワークノードからアクセス制御情報（ＡＣＩ）の第１の層を読み取ること。アクセスカテゴリのためのアクセス制御インジケータは、無線装置によるネットワークノードへのアクセス試行の特性／分類に関連付けられている；アクセスカテゴリのための第１の層のアクセス制御インジケータがオンであることに応答して、前記ＡＣＩの第２の層の前記アクセスカテゴリに関連付けられた１つまたは複数の特定のパラメータに基づいて、前記ネットワークノードへの前記アクセス試行が許可されるかどうかを判定するために、前記ネットワークノードから前記ＡＣＩの第２の層を受け取る。
【００２４】
第２の態様の実施形態では、プログラムは、ネットワークノードからアクセス試行構成（ＡＡＣ）を受信するための命令のセットをさらに含み、ＡＡＣは、アクセスカテゴリに対応する少なくとも１つの値タグを含む。
【００２５】
第２の態様の別の実施形態では、プログラムは、アクセスカテゴリに関連付けられた更新があるかどうかを判定するために、値タグのチェックを実行するための命令のセットをさらに備える。
【００２６】
第２の態様の別の実施形態では、少なくとも１つの値タグが更新されていない場合、ＡＡＣを使用して、ネットワークノードへのアクセス試行が許可されるかどうかを判定する。
【００２７】
第２の態様の別の実施形態では、プログラムは、少なくとも１つの値タグが更新されたときに、ＡＣＩの第２の層を使用して、ＡＣＩの第２の層内のアクセスカテゴリに関連付けられた１つまたは複数の特定のパラメータに基づいて、ネットワークノードへのアクセス試行が許可されるかどうかを判定するための命令のセットをさらに備える。
【００２８】
第２の態様の別の実施形態では、ＡＡＣは、ネットワークノードによって構成され、無線装置のアクセスクラス、ＡＣＩのデフォルト設定および現在の設定のうちの少なくとも１つの情報を含む。
【００２９】
第２の態様の別の実施形態では、無線装置のアクセスクラスは、無線装置のＩＤ、サービス品質（ＱｏＳ）要件、およびデータサイズのうちの少なくとも１つに基づいて、ネットワークノードによって動的に割り当てられる。
【００３０】
第２の態様の別の実施形態では、プログラムは、アクセスカテゴリについての第１の層内のアクセス制御インジケータがオフであることに応答して、ＡＣＩの第２の層を読み取ることなくネットワークノードへのアクセスを取得するためのアクセス処理を実行するための命令のセットをさらに備える。
【００３１】
第２の態様の別の実施形態では、ＡＣＩの第１の層は、無線装置の無線リソース制御（ＲＲＣ）状態に基づいて分類され、アクセス制御指示および共通パラメータを含む。
【００３２】
第２の態様の別の実施形態では、無線装置は、ＲＲＣ不活性（ＲＲＣ＿Ｉｎａｃｔｉｖｅ）状態、ＲＲＣ＿Ｃｏｎｎｅｃｔｅｄ（ＲＲＣ接続）、およびＲＲＣアイドル（ＲＲＣ＿Ｉｄｌｅ）状態のうちの１つの状態でアクセス試行を行う。
【００３３】
第２の態様の別の実施形態では、プログラムは、アクセスカテゴリについての第１の層内のアクセス制御インジケータがオンであることに応答して、少なくとも１つの値タグが更新されたときにネットワークノードから無線装置によるＡＣＩの第２の層を要求するための命令のセットをさらに備える。
【００３４】
第３の態様では、ネットワークノード（例えば、基地局）への無線装置（例えば、ＵＥ）のネットワークアクセスのためのネットワークノードが開示される。ネットワークノードは、１つまたは複数のプロセッサと、プログラムを格納する非一時的な機械可読メモリとを備え、プログラムは、１つまたは複数のプロセッサのうちの少なくとも１つによって実行可能である。プログラムは、無線装置に１つまたは複数のアクセスカテゴリに対応する１つまたは複数のアクセス制御インジケータを有するアクセス制御情報（ＡＣＩ）の第１の層を提供し、要求に応じて無線装置にＡＣＩの第２の層を提供するための命令のセットを含む。無線装置は、ネットワークノードへの無線装置によるアクセス試行の特性／分類に関連するＡＣＩの第１の層内の１つまたは複数のアクセス制御インジケータの少なくとも１つがオンであるとき、ＡＣＩの第２の層を要求する。
【００３５】
第３の態様の実施形態では、プログラムは、アクセス試行構成（ＡＡＣ）を無線装置に提供するための命令のセットをさらに含み、ＡＡＣは、アクセスカテゴリに対応する少なくとも１つの値タグを含む。
【００３６】
第３の態様の別の実施形態では、ネットワークノードは、無線装置のＩＤ、サービス品質（ＱｏＳ）要件、およびデータサイズのうちの少なくとも１つに基づいて、無線装置のアクセスクラスを動的に割り当てる。
【００３７】
第３の態様の別の実施形態では、アクセスカテゴリは、ランダムアクセス処理、ＲＡＮベースの通知領域（ＲＮＡ）、ＲＲＣ状態遷移、アプリケーション、ネットワークスライス、ＲＡＮスライス、サービス品質（ＱｏＳ）要件、およびデータサイズのうちの少なくとも１つに関連付けられる。
【図面の簡単な説明】
【００３８】
【図１】本出願の例示的な実施形態による、次世代無線ネットワークにおいて２ステップまたは４ステップのランダムアクセス処理を使用してデータ送信を実行するＵＥの概略図である。
【図２】本出願の例示的な実施形態による、２ステップのランダムアクセス処理を使用するデータ送信を示す概略図である。
【図３】本出願の例示的な実施形態による、４ステップのランダムアクセス処理を使用するデータ送信を示す概略図である。
【図４】本出願の例示的な実施形態による、アクセス制御情報（ＡＣＩ）構造を示す図である。
【図５】本出願の例示的な実施形態による、アクセス制御のための方法を示すフローチャートである。
【図６Ａ】本出願の例示的な実施形態による、ＲＲＣ不活性ＵＥのためのアクセス試行構成（ＡＡＣ）送信を示す図である。
【図６Ｂ】本出願の例示的な実施形態による、ＲＲＣ不活性ＵＥのためのアクセス制御情報（ＡＣＩ）送信を示す図である。
【図７Ａ】本出願の例示的な実施形態による、ＲＲＣ接続ＵＥのためのアクセス試行構成（ＡＡＣ）送信を示す図である。
【図７Ｂ】本出願の例示的な実施形態による、ＲＲＣ接続ＵＥのためのアクセス制御情報（ＡＣＩ）送信を示す図である。
【図８】本出願の様々な実施態様による、無線通信のためのノードのブロック図を示す。
【発明を実施するための形態】
【００３９】
（関連出願とのクロスレファレンス）
本出願は、２０１７年４月２日に出願された米国特許仮出願第６２／４８０，５１２号、発明の名称「ＡＣＣＥＳＳ  ＣＯＮＴＲＯＬ  ＩＮ  ＮＥＷ  ＲＡＤＩＯ」、代理人整理番号ＵＳ６２０６８（以下、「ＵＳ６２０６８出願」と呼ぶ）の利益および優先権を主張する。ＵＳ６２０６８出願の開示は、参照により本出願に完全に組み込まれる。
以下の説明は、本開示における例示的な実施形態に関連する特定の情報を含む。本開示における図面およびそれらの添付の詳細な説明は、単に例示的な実施形態に向けられている。しかし、本開示は、これらの例示的な実施形態のみに限定されるものではない。本開示の他の変形および実施形態は、当業者には想起されるであろう。特に断らない限り、図中の同様のまたは対応する要素は、同様のまたは対応する参照番号によって示されてもよい。さらに、本開示における図面および例示は、概して、一定の縮尺ではなく、実際の相対的な寸法に対応することを意図していない。
【００４０】
以下の説明は、本開示における例示的な実施形態に関連する特定の情報を含む。本開示における図面およびそれらの添付の詳細な説明は、単に例示的な実施に向けられている。しかし、本開示は、単にこれらの例示的な実施形態に限定されない。本開示の他の変形および実装は、当業者には想起されるであろう。特に断らない限り、図中の同様のまたは対応する要素は、同様のまたは対応する参照番号によって示されてもよい。さらに、本開示における図面および例示は、概して、一定の縮尺ではなく、実際の相対的な寸法に対応することを意図していない。
【００４１】
一貫性および理解の容易さのために、同様の特徴は（いくつかの例では、図示されていないが）、例示的な図では数字によって識別される。しかし、異なる実施形態における特徴は、他の点で異なっていてもよく、したがって、図面に示されるものに狭く限定されるものではない。
【００４２】
本明細書では、「１つの実施態様では」または「いくつかの実施態様では」という語句を使用するが、これらの語句はそれぞれ、同じ実施態様または異なる実施態様のうちの１つまたは複数を指すことがある。「結合された(coupled)」という用語は、直接的であろうと、介在する構成要素を介して間接的であろうと、接続されたものとして定義され、必ずしも物理的接続に限定されない。「〜を備える（comprising）」という用語が使用される場合、[〜を含む（include）が、必ずしもこれに限定されない]ことを意味する。特に、そのように記載された組み合わせ、グループ、シリーズ、および均等物におけるオープンエンドの包含またはメンバーシップを示す。
【００４３】
いくつかの実施形態では、本出願は、「［要素Ａ］および［要素Ｂ］のうちの少なくとも１つ」などの用語を含むことがある。この用語は、要素のうちの１つまたは複数を指すことがある。例えば、「ＡおよびＢのうちの少なくとも１つ」は、「Ａ」、「Ｂ」、または「ＡおよびＢ」を指すことがある。いくつかの実施形態では、本出願は、「［要素Ａ］、［要素Ｂ］、および／または［要素Ｃ］」などの言語を含むことがある。言い換えれば、「Ａ、Ｂ、および／またはＣ」は、「Ａ」、「Ｂ」、「Ｃ」、「ＡおよびＢ」、「ＡおよびＣ」、「ＢおよびＣ」、または「Ａ、Ｂ、およびＣ」を指すことがある。
【００４４】
さらに、説明および非限定の目的のために、機能エンティティ、技法、プロトコル、標準などの特定の詳細が、説明される技術の理解を提供するために記載される。他の例では、不必要な詳細で説明を不明瞭にしないように、周知の方法、技術、システム、アーキテクチャなどの詳細な説明は省略される。
【００４５】
当業者は、本開示に記載されている任意のネットワーク機能またはアルゴリズムが、ハードウェア、ソフトウェア、またはソフトウェアとハードウェアとの組み合わせによって実行されてもよいことを直ちに理解するだろう。記載された機能は、ソフトウェア、ハードウェア、ファームウェア、またはこれらの任意の組み合わせであり得るモジュールに対応してもよい。ソフトウェアのインプリメンテーションは、例えばメモリまたは他の種類の記憶装置などのコンピュータ読み取り可能な媒体に記憶されたコンピュータ実行可能命令を含んでもよい。例えば、通信処理能力を有する１つ以上のマイクロプロセッサまたは汎用コンピュータは、対応する実行可能命令でプログラム化され、記載されているネットワーク機能またはアルゴリズムを実行してもよい。上記マイクロプロセッサまたは汎用コンピュータは、特定用途向け集積回路（ＡＳＩＣ）、プログラマブルロジックアレイでできていてもよい、および／または、１つ以上のデジタルシグナルプロセッサ（ＤＳＰ）を用いてもよい。本明細書に記載されている例示的な実施態様のうちのいくつかがコンピュータハードウェアにインストールされ、該ハードウェア上で実行されるソフトウェアを対象としているが、ファームウェアとして、あるいは、ハードウェアまたはハードウェアとソフトウェアとの組み合わせとして実行される代替の例示的な実施態様は十分、本開示の範囲内である。
【００４６】
コンピュータ読み取り可能な媒体としては、ランダムアクセスメモリ（ＲＡＭ）、読取り専用メモリ（ＲＯＭ）、消去可能プログラマブル読取り専用メモリ（ＥＰＲＯＭ）、電気的消去可能プログラマブル読取り専用メモリ（ＥＥＰＲＯＭ、登録商標））、フラッシュメモリ、コンパクトディスク読取り専用メモリ（ＣＤ  ＲＯＭ）、磁気カセット、磁気テープ、磁気ディスク記憶装置、またはコンピュータ読み取り可能な命令を記憶することができる任意の他の同等の媒体が挙げられるが、これらに限定されない。
【００４７】
無線通信ネットワークアーキテクチャ（例えば、ロングタームエボリューション（ＬＴＥ）システム、ＬＴＥアドバンスト（ＬＴＥ−Ａ）システム、またはＬＴＥアドバンストＰｒｏシステム）は、少なくとも１つの基地局、少なくとも１つのユーザ装置（ＵＥ）、およびネットワークへの接続を提供する１つ以上の任意のネットワーク要素を典型的に含む。上記ＵＥは、上記ネットワーク（例えば、コアネットワーク（ＣＮ）、進化型パケットコア（ＥＰＣ）ネットワーク、発展型ユニバーサル無線地上波アクセス（Ｅ−ＵＴＲＡ）ネットワーク、次世代コア（ＮＧＣ）、またはインターネット）と、上記基地局によって設定された無線アクセスネットワーク（ＲＡＮ）を通じて、通信する。
【００４８】
本出願において、ＵＥとしては、移動局、携帯端末または携帯機器、ユーザ通信無線端末が挙げられるが、これらに限定されないことに留意されたい。例えば、ＵＥは、携帯無線装置であってもよく、該携帯無線装置としては、無線通信能力を有する携帯電話、タブレット、ウェアラブルデバイス、センサ、または個人用デジタル補助装置（ＰＤＡ）が挙げられるが、これらに限定されない。上記ＵＥは、無線アクセスネットワークにおける１つ以上のセルと、電波インターフェース上で、信号を送受信するよう構成されている。
【００４９】
ネットワークノードは、基地局を含むことができる。基地局は、ＵＭＴＳにおけるようなノードＢ（ＮＢ）、ＬＴＥ−Ａにおけるような発展型ノードＢ（ｅＮＢ）、ＵＭＴＳにおけるような無線ネットワークコントローラ（ＲＮＣ）、ＧＳＭ／ＧＥＲＡＮにおけるような基地局コントローラ（ＢＳＣ）、５ＧＣに関連するＥ−ＵＴＲＡ基地局におけるようなｎｇ−ｅＮＢ、５Ｇ−ＡＮにおけるような次世代ノードＢ（ｇＮＢ）、およびセル内の無線通信を制御し、無線リソースを管理することができる任意の他の装置を含むことができるが、これらに限定されない。基地局は、ネットワークへの無線インターフェースを介して１つまたは複数のＵＥにサービスを提供するように接続することができる。
【００５０】
基地局は、以下の無線アクセス技術（ＲＡＴ）のうち少なくとも一つに従って、通信サービスを提供するように構成されてもよい。上記無線アクセス技術（ＲＡＴ）としては、マイクロ波アクセスのための世界相互運用性（ＷｉＭＡＸ）、グローバルモバイル通信システム（ＧＳＭ（登録商標）、２Ｇと称されることが多い）、ＧＳＭ  ＥＤＧＥ無線アクセスネットワーク（ＧＥＲＡＮ）、汎用パケット無線システム（ＧＲＰＳ）、基本広帯域符号分割多元接続（Ｗ−ＣＤＭＡ）に基づいたユニバーサル・モバイル・テレコミュニケーション・システム（ＵＭＴＳ、３Ｇと称されることが多い）、高速パケットアクセスシステム（ＨＳＰＡ）、ＬＴＥ、ＬＴＥ−Ａ、ｅＬＴＥ（ｅｖｏｌｖｅｄ  ＬＴＥ）、ニューラジオ（ＮＲ、５Ｇと称されることが多い）および／またはＬＴＥ−Ａ  Ｐｒｏが挙げられる。しかし、本出願の範囲は、上述のプロトコルに限定すべきではない。
【００５１】
基地局は、無線アクセスネットワークを形成する複数のセルを使用して、特定の地理的エリアに無線カバレッジを提供するように動作可能である。基地局は、セルの動作をサポートする。各セルは、その無線カバレッジ内の少なくとも１つのＵＥにサービスを提供するように動作可能である。より具体的には、各セル（しばしばサービングセルと称される）は、その無線カバレッジ内の１つまたは複数のＵＥにサービスを提供する（例えば、各セルは、ダウンリンクおよび任意でアップリンクパケット送信のために、その無線カバレッジ内の少なくとも１つのＵＥにダウンリンクおよび任意でアップリンクリソースをスケジューリングする）。基地局は、複数のセルを介して無線通信システム内の１つまたは複数のＵＥと通信することができる。セルは、近接サービス（ＰｒｏＳｅ）をサポートするために、サイドリンク（ＳＬ）リソースを割り当ててもよい。各セルは、他のセルと重複するカバレージ領域を有してもよい。
【００５２】
上述のように、ＮＲのフレーム構造は、高信頼性、高データ速度、および低レイテンシ要件を満たしながら、拡張モバイルブロードバンド（ｅＭＢＢ）、大規模マシンタイプ通信（ｍＭＴＣ）、超信頼通信、および低レイテンシ通信（ＵＲＬＬＣ）などの様々な次世代（例えば、５Ｇ）通信要件に対応するためのフレキシブルな構成をサポートする。３ＧＰＰで合意された直交周波数分割多重（ＯＦＤＭ）技術は、ＮＲ波形のための基準として機能してもよい。アダプティブサブキャリアスペーシング、チャネル帯域幅、およびサイクリックプレフィックス（ＣＰ）などのスケーラブルＯＦＤＭ数秘学も使用してもよい。さらに、ＮＲには（１）低密度パリティ検査（ＬＤＰＣ）符号および（２）ポーラ符号の２つの符号化方式が考えられる。符号化スキーム適応は、チャネル条件および／またはサービスアプリケーションに基づいて構成され得る。
【００５３】
さらに、単一のＮＲフレームの送信時間間隔ＴＸ、ダウンリンク（ＤＬ）送信データ、ガード期間、およびアップリンク（ＵＬ）送信データが少なくとも含まれるべきであり、ＤＬ送信データ、ガード期間、ＵＬ送信データのそれぞれの部分もまた、例えば、ＮＲのネットワークダイナミクスに基づいて構成可能であるべきであると考えられる。さらに、サイドリンクリソースは、ＰｒｏＳｅサービスをサポートするためにＮＲフレームで提供されてもよい。
【００５４】
図１は、本出願の例示的な実施形態による、次世代（例えば、５Ｇ  ＮＲ）無線ネットワークにおいて、２ステップおよび４ステップのランダムアクセス手順を使用して、データ送信を実行するＵＥの概略図を示す。図１に示すように、無線通信システム１００は、ＵＥ１０２ａ、ＵＥ１０２ｂ、サービスエリア１０６ａを有する基地局１０４ａ（例えば、ｇＮＢ）、サービスエリア１０６ｂを有する基地局１０４ｂ（例えば、ｇＮＢ）を含み、基地局１０４ａおよび１０４ｂは、次世代コアネットワーク（例えば、５Ｇコアネットワーク（５ＧＣ））などのコアネットワーク（ＣＮ）１０８にアクセスすることができる。本実施形態では、ＣＮ  １０８は、５ＧＣ通知を介して、基地局１０４ａおよび基地局１０４ｂに信号を送ることができる。一実施形態では、基地局１０４ａは、第１のＲＡＮベースの通知領域ＲＮＡ１内にあり、基地局１０４ｂは、ＲＮＡ１とは異なる第２のＲＡＮベースの通知領域ＲＮＡ２内にある。この例示的な実施形態では、ＲＮＡ１およびＲＮＡ２は、隣接するＲＡＮベースの通知領域である。別の実施形態では、基地局１０４ａおよび１０４ｂは、単一のＲＡＮベースの通知領域内の２つの隣接セルであってもよい。図１では、ＵＥ１０２ａおよび１０２ｂはそれぞれ、２ステップまたは４ステップのランダムアクセス処理を使用して、それぞれの基地局１０４ａおよび１０４ｂとの接続または再同期を確立することができる。また、ＵＥ１０２ａおよび１０２ｂは、２ステップまたは４ステップのランダムアクセス手順を使用して、それぞれの基地局１０４ａおよび１０４ｂにアップリンク（ＵＬ）データを送信することができる。
【００５５】
図２は、本出願の例示的な実施による、２ステップランダムアクセス処理を使用するデータ送信の図を示す。図２００は、ＵＥ２０２および基地局２０４（例えば、ｇＮＢ）を含み、ＵＥ  ２０２は、２ステップランダムアクセス処理を使用して、ＵＬデータを基地局２０４に送信してもよい。本実施形態では、ＵＥ２０２および基地局２０４は、図１のＵＥ１０２ａ（またはＵＥ１０２ｂ）および基地局１０４ａ（または基地局１０４ｂ）にそれぞれ実質的に対応してもよい。
図２に示すように、動作２１０は、ＵＥ２０２がランダムアクセスチャネル（ＲＡＣＨ）プリアンブル（例えば、ＭＳＧ１）を基地局２０４に送信することを含む。基地局２０４は、ＵＥ２０２にＲＡＣＨプリアンブル、アップリンク（ＵＬ）データ、およびＵＥ２０２のＵＥ  ＩＤを送信させるために使用されるランダムアクセスチャネル（ＲＡＣＨ）リソースを設定する。ＵＥ２０２は、複数のＲＡＣＨプリアンブルリソースから、実際に使用されるべきＲＡＣＨプリアンブルリソースをランダムに選択してもよい（例えば、時間リソース、周波数リソース、およびシーケンスリソースの組み合わせによって規定される）。次いで、ＵＥ２０２は、選択されたＲＡＣＨプリアンブルリソースを使用して、ＲＡＣＨプリアンブルを送信してもよい。ＵＥ２０２のＵＥ  ＩＤと共にＵＬデータは、ＭＳＧ１内のＲＡＣＨプリアンブルと多重化されてもよい。
【００５６】
図２に示すように、動作２１２は、基地局２０４がＲＡＣＨプリアンブル、ＵＥ２０２のＵＥ  ＩＤと共にＵＬデータを検出したときに、ランダムアクセス応答（ＲＡＲ）（例えば、ＭＳＧ２）をＵＥ２０２に送信することを含む。ＵＬデータ送信のために、基地局２０４は、基地局２０４がＭＳＧ１においてＵＬデータの受信に成功したかどうかを示すために、ＭＳＧ２において肯定応答（ＡＣＫ）／否定応答（ＮＡＣＫ）メッセージを提供してもよい。
【００５７】
図３は、本出願の例示的な実施形態による、４ステップランダムアクセス処理を使用するデータ送信の図を示す。図３００は、ＵＥ３０２および基地局３０４（例えば、ｇＮＢ）を含み、ＵＥ３０２は、４ステップランダムアクセス手順を使用して、ＵＬデータを基地局３０４に送信してもよい。本実施形態では、ＵＥ３０２および基地局３０４は、それぞれ実質的に、図１のＵＥ１０２ａ（またはＵＥ１０２ｂ）および基地局１０４ａ（または基地局１０４ｂ）に対応してもよい。
【００５８】
図３に示すように、動作３１０は、ＵＥ３０２がランダムアクセスチャネル（ＲＡＣＨ）プリアンブル（例えば、ＭＳＧ１）を基地局３０４に送信することを含む。本実施形態では、ＵＥ３０２は、（時間リソース、周波数リソース、およびシーケンスリソースの組み合わせによって規定される）ＲＡＣＨプリアンブルリソース候補のグループから、実際に使用されるＲＡＣＨプリアンブルリソースを選択してもよい。次いで、ＵＥ３０２は、選択されたＲＡＣＨレースプリアンブルリソースを使用して、ＲＡＣＨプリアンブルを送信してもよい。
【００５９】
動作３１２は、基地局３０４がＲＡＣＨプリアンブルを検出したときに、ランダムアクセス応答（ＲＡＲ）（例えば、ＭＳＧ２）をＵＥ３０２に送信することを含む。基地局３０４は、ＲＡＣＨプリアンブルを送信したＵＥ３０２を識別することができなかった可能性があるので、ＲＡＲは、基地局３０４によってカバーされるセル全体にわたって送信される。例えば、ＲＡＲがマッピングされる物理的ダウンリンク共有チャネル（ＰＤＳＣＨ）リソースは、基地局３０４によって、物理的ダウンリンク制御チャネル（ＰＤＣＣＨ）を介してＵＥ３０２に示され得る。また、ＲＡＲは、アップリンクにおいてＵＥ３０２によって使用されるべきリソースに関する情報、またはＵＥ３０２のためのアップリンク送信タイミングに関する情報を含み得る。
【００６０】
動作３１４は、動作３１２において、ＵＥ３０２が、ＲＡＲを介して、基地局３０４によって指定されたアップリンクリソースを使用して、ＲＲＣ接続要求またはスケジューリング要求（例えば、ＭＳＧ３）を送信することを含む。本実施形態では、ＵＥ３０２は、再開要求メッセージを基地局３０４に送信し、再開要求メッセージは、ＲＲＣ接続状態に遷移することを要求していなくてもよい。代わりに、ＭＳＧ３内の再開要求メッセージは、アップリンク（ＵＬ）データを送信するために使用される。
【００６１】
動作３１６は、基地局３０４がＲＲＣ接続要求またはスケジューリング要求を検出したときに、基地局３０４がＲＲＣ接続応答またはスケジューリング応答（例えば、ＭＳＧ４）をＵＥ３０２に送信することを含む。本実施形態では、基地局３０４は再開応答メッセージをＵＥ３０２に送信するが、再開応答メッセージは、再開のためではなく、動作３１４でＭＳＧ３で送信されたＵＬデータの対応する応答確認を含むことができる。
【００６２】
したがって、図２および図３は、本出願の実施形態によれば、ＵＥが、２ステップまたは４ステップのいずれかのランダムアクセス手順を使用して、５Ｇ  ＮＲ無線ネットワークにおいて、ＵＬデータをそれぞれの基地局（たとえば、ｇＮＢ）に送信することができることを示す。例えば、ＵＥ２０２（またはＵＥ３０２）は、ＲＲＣ不活性状態であってもよく、ＲＲＣ接続状態に遷移することなく、依然としてＵＬデータを基地局２０４（または３０４）に送信することができる。
【００６３】
図４は、本出願の例示的な実施形態による、アクセス制御情報（ＡＣＩ）構造を示す図である。ＡＣＩ構造４００は、複数の層を含んでもよい。本実施形態では、ＡＣＩ構造４００は、第１の層（例えば、層１）および第２の層（例えば、層２）を含む。ＡＣＩ構造４００の層１は、複数のグループ（例えば、グループ１およびグループ２）の各々に対するアクセス制御指示および共通パラメータを含む。ＡＣＩ構造４００の層２は、層１内の各グループに対する（例えば、ＲＲＣ状態に基づく）アクセス制御関連の情報のサブカテゴリ化を含む。例えば、層２におけるサブカテゴリ化は、ＵＥによるアクセス試行の特性に基づいてもよい。図４はＡＣＩ構造４００が２つの層を含むことを示しているが、ＡＣＩ構造４００は２つよりも多い層を含むことができることを理解されたい。マルチＡＣＩ構造４００は、次世代（例えば、５Ｇ  ＮＲ）無線ネットワークがアクセス試行を制御する際に、より小さい粒度を達成することを可能にする。
【００６４】
本実施形態では、ＡＣＩ構造４００の層１は、ＲＲＣ状態に基づいて、複数のグループに分割される。例えば、層１では、グループ１はＲＲＣ接続状態に分類され、グループ２はＲＲＣ＿ＩＮＡＣＴＩＶＥ状態に分類される。別のグループ（例えば、図４に明示的に示されていないグループ３）は、ＡＣＩ構造４００におけるＲＲＣアイドル状態に分類され得ることに留意されたい。図４に示すように、各グループは、１つまたは複数のアクセス制御指示およびアクセス制御パラメータを含む。例えば、グループ１において、ＲＲＣ接続状態のためのアクセス制御表示は、層２における対応するサブカテゴリ化のためのアクセス制御ＯＮ／ＯＦＦ表示、層２における対応するサブカテゴリ化のための値タグ、および層２のサブカテゴリ化マッピングを含んでもよいが、これらに限定されない。
【００６５】
ＡＣＩ構造４００の層１におけるアクセス制御ＯＮ／ＯＦＦインジケータは、層２における対応するサブカテゴリ化のために、現在のアクセス制御がＯＮであるかＯＦＦであるかに関する表示をＵＥに提供してもよい。一実施形態では、アクセス制御ＯＮ／ＯＦＦインジケータは、ビットマップの形式であってもよい。
【００６６】
ＡＣＩ構造４００の層１内の値タグは、各グループおよび／またはサブカテゴリ化のためのアクセス制御パラメータが更新されたかどうかに関する表示をＵＥに提供してもよい。一実施形態では、ＡＣＩ構造４００を受信する前に、ＵＥは、アクセス制御構成（ＡＡＣ）を含むメッセージにおいて、基地局（例えば、ｇＮＢ）からのメッセージを介して値タグを受信することができる。後に、層１において値タグを読み取るとき、ＵＥは、値タグがＡＣＣにおける値タグと同じであると判定した場合、ＵＥは、すでに情報を有する。したがって、基地局が再び情報をブロードキャストまたは送信する（またはＵＥが情報を読み取る）必要はない。別の実施形態では、ＵＥは、ＡＡＣを含むメッセージ内の値タグを基地局から受信しなくてもよい。すなわち、ＵＥは、ＡＡＣを含むメッセージにおいて現在のＡＣＩ設定を受信しなくてもよい。そのような場合、ＵＥは、ＡＣＩ構造の層１を受信したときに値タグチェックを依然として実行するが、ＡＣＩ構造層１内の値タグを、ＵＥが以前に読み出して格納した値タグと比較する。上述の両方の実施形態では、ＵＥは、ＡＣＩ構造の層２を要求する前に、値タグチェックを実行する。層２における対応するサブカテゴリ化のための特定のパラメータを読み取る前に値タグを読み取ることは、値タグが変更または更新されていない場合に、不必要なＡＣＩ読み取りオーバヘッドを回避することができる。ＡＣＩ構造４００の各グループ、層、およびサブカテゴリ内のアクセス制御指示およびパラメータは、独立して更新することができる。
【００６７】
ＡＣＩ構造４００の層１におけるサブカテゴリ化マッピングは、ＵＥにＡＣＩ構造４００の詳細（例えば、デフォルトおよび／または現在の設定）を知らせるために、ＵＥに情報（例えば、ツリー型マッピング）を提供してもよい。したがって、ＵＥは、ＡＣＩ構造４００の事前の知識なしに、対応するサブカテゴリ化を見つけ出し、読み取ることができる。例えば、ＡＣＩ構造４００の層２における詳細の全てが、サブカテゴリ化マッピングに含まれてもよい。
【００６８】
各グループにおいて、ＲＲＣ状態のためのアクセス制御パラメータは、許可されたアクセス持続時間、データ再送信時間、データ送信のための時間／周波数リソース、除外因子（barring factor）、およびバックオフタイマを含んでもよいが、これらに限定されない。一実施形態では、アクセス制御パラメータは、すべてのＵＥが基地局から読み取る必要がある共通パラメータであってもよい。共通パラメータは、各ＲＲＣ状態内のすべてのＵＥによって必要とされるパラメータを含むことができ、および／またはパラメータの関連する設定は、各サブカテゴリ化について同じである。
【００６９】
各グループにおいて、ＲＲＣ状態のためのインジケータは、層２における対応するサブカテゴリ化（例えば、アクセスクラス）のためのアクセス制御ＯＮ／ＯＦＦインジケータ、層２における対応するサブカテゴリ化（例えば、アクセスクラス）のための値タグ、および層２のサブカテゴリ化マッピングを含み得るが、これらに限定されない。
【００７０】
図４に示すように、層２は、ＵＥのアクセス試行の１つまたは複数の特性に基づくアクセス制御関連情報のサブカテゴリ化を含む。アクセス試行の特性は、２ステップまたは４ステップのランダムアクセスチャネルの観点、同じＲＮＡ（例えば、ホームＲＡＮ）または異なるＲＮＡ、ＲＲＣ状態遷移、アプリケーション、ネットワークスライス、ＲＡＮスライス、ＱｏＳ要件、およびモビリティを含み得るが、これらに限定されない。例えば、次世代（例えば、５Ｇ  ＮＲ）無線ネットワークが輻輳しているか、または限られたリソースしか持たない場合、高いＱｏＳ／アプリケーション要件を有するＵＥは、無線リソース割当てにおいて他のＵＥよりも優先され得る。ＡＣＩ構造４００には前方互換性があることに留意されたい。すなわち、ＡＣＩ構造４００は、将来のアクセス制御構造、スキーム、および方法と互換性があるように、その階層構造に新しいメッセージおよび／またはパラメータを追加またはフックすることができる。
【００７１】
図４に示すように、グループ１に対するアクセス試行の特性（例えば、ＲＲＣ＿ＣＯＮＮＥＣＴＥＤ接続状態）は、コアネットワークスライス、ＲＡＮスライス、および層２に対するＵＥのＱｏＳ要件に基づいてもよい。例えば、各ＱｏＳ要件（例えば、ＱｏＳ１、２、・・・ｎ）に対して特定のパラメータセット（例えば、特定のパラメータセット１、２、・・・ｎ）がある。グループ２に対するアクセス試行の特性（例えば、ＲＲＣ＿ＩＮＡＣＴＩＶＥ状態）は、層２に対するコアネットワークスライス、ＲＡＮスライス、および２ステップまたは４ステップのランダムアクセス処理に基づくことができる。例えば、特性の各々に対して特定のパラメータセット（例えば、特定のパラメータセット１、２、・・・ｎ）がある。次世代無線ネットワークは、異なるサブカテゴリ化を介して、異なるアプリケーション／ＱｏＳ（複数可）のためのアクセス制御パラメータの独立したセットを割り当て、設定することができることに留意されたい。
【００７２】
図４に示すように、ＡＣＩ構造４００は、ＲＲＣ状態に基づく複数のグループを含み、各グループは、少なくとも２つの層を含む。ＡＣＩ構造４００の各グループ内で、層１は共通パラメータを含み、層２は各サブカテゴリ化のための特定パラメータを含む。一実施形態では、アクセス制御パラメータは、すべてのＵＥが基地局から読み取る必要がある共通パラメータであってもよい。例えば、共通パラメータは、各ＲＲＣ状態内のすべてのＵＥによって必要とされるパラメータを含むことができ、パラメータの関連する設定は、各サブカテゴリ化について同じである。特定のパラメータは、関連する設定が各サブカテゴリ化の間で異なるパラメータであり、許可された持続時間、データ再送信時間、データ送信のための時間／周波数リソース、２つまたは４つのステップのランダムアクセスチャネルの観点、除外因子、バックオフタイマとすることができる。また、特定のパラメータは、サブカテゴリ化ごとに異なっていてもよいことに留意されたい。ＡＣＩ構造４００は、アクセス制御パラメータのすべてを組み合わせ、交換し、置換し、各層で使用することができるので、図４に示される拡がるツリー構造のようなものは、本出願の一例に過ぎない。
【００７３】
ＡＣＩ構造４００、多くの情報を含むことができるが、ＮＲ無線ネットワークにアクセスしようと試みるすべてのＵＥによって、情報のすべてが必要とされるわけではない。本出願の実施態様によれば、すべてのＵＥがＡＣＩ構造全体を読み取る必要はない。すなわち、ＵＥは、そのＵＥに関連するＡＣＩ構造の部分のみを必要とする。ＡＣＩ構造各グループ、層、および／またはサブカテゴリ化は、異なるメッセージを使用することによって、および／または異なるネットワークエンティティ（例えば、基地局および／または送受信点（ＴＲＰ））を介して、別々に送信またはブロードキャストすることができる。例えば、中心ノードは、システム要求を受信し、中心ノードの下のＴＲＰにサブカテゴリ化を送信するように命令することができる。
【００７４】
ＡＣＩ構造４００の層１は、ＡＣＩ構造４００の層２における関連するサブカテゴリ化を受信するために必要な／要求された情報をＵＥに示すためのインジケータをさらに含み得る。必要／要求された情報インジケータは、サブカテゴリ化マッピング、送信に使用される時間／周波数リソース、各サブカテゴリ化を送信またはブロードキャストするネットワークエンティティおよび／またはシステム情報を含んでもよいが、これらに限定されない。したがって、ＵＥは、それが必要とするＡＣＩの部分だけを読み取ることができる。
【００７５】
ＡＣＩ構造４００の層１は、アクセス制御法が各サブカテゴリ化について現在オンであるかオフであるかを示すためのアクセス制御オン／オフインジケータを含むことができる（ビットマップとすることができる）。ＡＣＩ構造４００の層１は、また、各グループおよび／または各サブカテゴリ化のためのアクセス制御パラメータの更新されたバージョンを示すための値タグを含むことができる。ＡＣＩの各グループ、層、およびサブカテゴリ内のインジケータおよびパラメータは、独立して更新することができる。サブカテゴリ化は、必要性に基づいて（例えば、現在のトラフィック状況に基づいて）決定される。
【００７６】
リソース割当てと、基地局またはＴＲＰが提供するサポートされたサービスとに基づいて、基地局またはＴＲＰは、ＡＣＩ構造４００の層１を周期的にブロードキャストし、ＵＥによって要求されたときに（例えば、オンデマンドベースで）、ＡＣＩ構造４００の層２を送信またはブロードキャストすることができる。一実施形態では、ＡＣＩ構造４００の層１は、基地局またはＴＲＰによって定期的にブロードキャストされる最小システム情報（ＳＩ）に含まれるか、または搬送される。また、基地局またはＴＲＰは、そのような要求がＵＥから受信されると、ＡＣＩ構造４００の専用ＲＲＣシグナリングおよび／またはブロードキャストされた層２を個々のＵＥに送信してもよく、ＡＣＩ構造４００の層２は、他のＳＩに含まれるか、または搬送される。ＵＥが基地局のサ−ビスエリアから出る（例えば、ＮＲネットワークからＬＴＥネットワークに移動する）とき、ＡＣＩ構造４００は無効になる可能性があり、次いで、ＵＥは、ＬＴＥの使用に従って対応するアクセス制御を採用することができることに留意されたい。
【００７７】
本出願の一実施形態によれば、基地局（例えば、ｇＮＢ）は、ビームフォーミングを実行し、異なるアクセス制御法に従う異なるＡＣＩ構造をブロードキャストするために異なるビームを使用することができる。ＵＥは、基地局からのすべてのビームについてＡＣＩ取得を実行する必要があり得る。別の実施形態では、基地局によって形成され、ブロードキャストされるすべてのビームは、均一なＡＣＩ構造を有してもよい。ＵＥは、ＵＥが１つのビームから別のビームに変化するとき、ＡＣＩ取得をスキップしてもよい。例えば、ＵＥがビームリカバリーを実行する場合、ＵＥは、同じセルの下で別のビームに切り替えるときに、前のビームから取得された同じパラメータを適用することができる。
【００７８】
本出願の一実施形態によれば、基地局は、媒体アクセス制御（ＭＡＣ）制御要素（ＣＥ）またはＲＲＣシグナリングを使用して、接続されたＵＥにＡＣＩ取得を実行するように要求し、層１内のアクセス制御ＯＮ／ＯＦＦインジケータのいずれかを変更し、または層２内の特定のパラメータを変更することができる。別の実施形態では、ＲＲＣ＿ＩＮＡＣＴＩＶＥ  ＵＥの場合、基地局は、ページングメッセージを使用して、どの種類の挙動を所望するかをトリガすることができる。
【００７９】
図５は、本出願の例示的な実施形態による、アクセス制御のための方法を示すフローチャートである。フローチャート５００は、動作５８０で開始し、動作５９９で終了する。動作５８２において、ＵＥは、アクセス試行構成（ＡＡＣ）を受信する。ＵＥは、ＲＲＣ状態に応じて、ＵＥが所属（camp on)する基地局から異なるＲＲＣメッセージでＡＡＣを受信してもよい。ＡＡＣは、ＵＥ固有であってもよく、これは、ＡＡＣが基地局によって構成され、ＵＥのアクセスクラス（複数可）（例えば、サブカテゴリ化）、どのＲＡＣＨ（例えば、２ステップもしくは４ステップ、または両方）が、各対応するアクセス試行目的のためにＵＥに対して許可されるか、などを含み得ることを意味する。本出願の一実施形態では、ＡＡＣは、例えば、ＵＥが実行するアプリケーションおよびその関連するＱｏＳ要件によって決定されてもよい。さらに、ＵＥのためのＡＣＩ構造の層２（例えば、図４のＡＣＩ構造４００の層２）における現在の対応する特定のパラメータは、各アクセス試行の目的のためにＲＲＣメッセージまたはＡＣＣに含めることもできる。
【００８０】
動作５８４において、ＵＥは、アクセス試行を生成してもよい。ＵＥは、自身のＲＲＣ状態に応じて、ランダムアクセスを介したデータ送信、ＲＡＮ通知エリア（ＲＮＡ）更新、およびＲＲＣ再開処理など、様々なアクセス試行目的のためのアクセス試行を生成することができる。動作５８６において、ＵＥがアクセス試行を生成した後、ＵＥは、基地局によってブロードキャストされたＡＣＩ構造の層１（例えば、図４のＡＣＩ構造４００の層１）を読み取ることができる。例えば、ＵＥは、ＡＣＩ構造層１内のアクセス制御ＯＮ／ＯＦＦインジケータを読み取ることによって、その対応するサブカテゴリ化のためのアクセス制御ＯＮ／ＯＦＦインジケータがＯＮであるかＯＦＦであるかをチェックすることができる。ＡＣＩ構造の層１は、最小ＳＩ、または基地局から周期的にブロードキャストされるＳＩに含まれてもよい。
【００８１】
動作５８８において、ＵＥは、対応するサブカテゴリ化のためのアクセス制御ＯＮ／ＯＦＦインジケータがＯＮであるかＯＦＦであるかをチェックしてもよい。対応するサブカテゴリ化のためのアクセス制御ＯＮ／ＯＦＦインジケータがＯＦＦである場合、ＵＥは、ＡＣＩ構造の層２内の関連する制御パラメータの読み取りを停止するか、または無視してもよい。対応するサブカテゴリ化のためのアクセス制御ＯＮ／ＯＦＦインジケータがＯＦＦである場合、ＵＥは、ＡＣＩ構造の層１における共通パラメータの読み取りを停止するか、または無視してもよい。ＵＥは、動作５９８に進み、アクセス処理を実行してもよい。一方、対応するサブカテゴリ化のためのアクセス制御ＯＮ／ＯＦＦインジケータがＯＮである場合、ＵＥは、適用する必要があるすべてのアクセス制御パラメータ（他のＳＩまたは専用信号またはオンデマンドブロードキャストＳＩまたはオンデマンド他のＳＩを介して取得される）を取得するために、ＡＣＩ構造の層２内の関連する制御パラメータをさらに読み取る必要がある。
【００８２】
ＵＥがＡＣＩ構造の層２を取得する前に、ＵＥは、動作５９０において、層２における対応するサブカテゴリ化の値タグをチェックしてもよい。１つの実施形態では、ＵＥは、層１の値タグを読み取り、それを動作５８２で得られたＡＡＣに含まれる値タグと比較してもよい。層１の値タグが変更または更新されていない（例えば、対応するサブカテゴリ化の値タグが、動作５８２で取得されたＡＡＣに含まれる値タグと同じである）場合、ＵＥは、層２の対応するサブカテゴリ化の特定のパラメータを再び読み取る代わりに、動作５８２で受信されたＵＥ特定のＡＡＣに含まれる特定のパラメータを使用してもよい。別の実施形態では、ＵＥは、ＵＥ特有のＡＡＣを含むメッセージない中の現在のＡＣＩ設定を、基地局から受信しないことがある。そのような場合、ＵＥは、ＡＣＩ構造の層１を受信したときに値タグチェックを依然として実行するが、ＡＣＩ構造の層１内の値タグを、ＵＥが以前に読み出して格納した値タグと比較する。上述の両方の実施形態では、ＵＥは、ＡＣＩ構造の層２を要求する前に、値タグチェックを実行する。値タグチェックイン動作を実行することは、不必要なＡＣＩ読み取りのオーバヘッドを回避することができる。値タグが更新されている場合、ＵＥは動作５９２に進み、（他のＳＩまたは専用信号またはオンデマンドブロードキャストＳＩまたはオンデマンド他のＳＩを介して取得され得る）ＡＣＩ構造の層２内の更新された特定のパラメータを要求し、読み取ってもよい。
【００８３】
動作５９４に示されるように、ＵＥが、対応するサブカテゴリ化に基づいて、すべての特定のパラメータを読み取り、渡す場合、ＵＥは、アクセス試行を許可され得る。ＵＥはまた、ＡＣＩ構造の層２で受信された対応する特定のパラメータに従うことによって、ネットワークにアクセスすべきであることに留意されたい。そうでなければ、動作５８６でＡＣＩ構造の層１を再び読み取る前に、動作５９６でＵＥにバックオフ時間を割り当てることができる。
【００８４】
動作５９８において、ＵＥがネットワークにアクセスすることを許可されると、ＵＥは、基地局とのアクセス処理を実行することができる。ＵＥによって実行されるアクセス処理（例えば、ランダムアクセスを介したデータ送信、ＲＡＮ通知領域（ＲＮＡ）の更新）中に、基地局は、ＵＥのＡＡＣ構成の更新を実行することもできる。アクセス段階内で、基地局は、ＲＡＮ通知エリア更新を実行するための新しい／更新されたＵＥ特有のＡＡＣを提供することができ、また、ＵＥへのランダムアクセスを介してデータ送信を実行するためのＵＥ特有のＡＡＣを提供することができる。
【００８５】
図６Ａは、本出願の例示的な実施による、ＲＲＣ＿ＩＮＡＣＴＩＶＥ  ＵＥのためのアクセス試行構成（ＡＡＣ）送信を示す図である。図６Ｂは、本出願の例示的な実施による、ＲＲＣ不活性ＵＥのためのアクセス制御情報（ＡＣＩ）送信を示す図である。図６Ａおよび図６Ｂは、ＲＲＣ不活性ＵＥのアクセスを制御するために基地局（例えば、ｇＮＢ）によって実行されるアクセス制御を示す。
【００８６】
図６Ａに示すように、ＲＲＣサスペンド処理中に、基地局６０４は、動作６８２で、ＲＲＣＣｏｎｎｅｃｔｉｏｎＲｅｌｅａｓｅメッセージをＵＥ６０２に送信する。本実施形態では、ＲＲＣＣｏｎｎｅｃｔｉｏｎＲｅｌｅａｓｅメッセージは、ＵＥ特有のＡＡＣを含み、ＵＥ特有のＡＡＣは、基地局６０４によって構成され、ＵＥ６０２のアクセスクラス（例えば、サブカテゴリ化）を含み、どのＲＡＣＨ（例えば、２ステップまたは４ステップまたは両方）が、各対応するアクセス試行目的のためにＵＥ６０２に対して許可されるかについての情報を含む。本出願の一実施形態では、ＡＡＣ構成は、ＵＥ６０２が実行するアプリケーション、およびその関連するＱｏＳ要件によって決定される。さらに、ＵＥ６０２のためのＡＣＩ構造（図４のＡＣＩ構造４００の層２）における現在の値タグおよび／またはそれに対応する特定のパラメータも、各アクセス試行の目的／カテゴリのためのＲＲＣＣｏｎｎｅｃｔｉｏｎＲｅｌｅａｓｅメッセージに含めることができる。ＲＲＣＣｏｎｎｅｃｔｉｏｎＲｅｌｅａｓｅメッセージを受信した後、ＵＥ６０２は、動作６８３において、ＲＲＣ＿ＩＮＡＣＴＩＶＥ状態に遷移する。
【００８７】
図６Ｂに示すように、動作６８４において、ＲＲＣ不活性状態のＵＥ６０２は、アクセス試行を生成することができる。ＲＲＣ不活性状態では、ＵＥ６０２は、ランダムアクセスを介したデータ送信、ＲＡＮ通知エリア（ＲＮＡ）アップデート、およびＲＲＣ再開処理のうちの少なくとも１つのアクセス試行目的のためのアクセス試行を生成することができる。
【００８８】
動作６８６において、基地局６０４は、ＡＣＩ構造の層１（図４のＡＣＩ構造の層１）をＲＲＣ不活性ＵＥ６０２に提供することができる。ＲＲＣ不活性ＵＥ６０２は、基地局６０４から送信されたＡＣＩ構造層１内のアクセス制御ＯＮ／ＯＦＦインジケータを読み取ることによって、その対応するサブカテゴリ化のためのアクセス制御ＯＮ／ＯＦＦインジケータがＯＮであるかＯＦＦであるかをチェックすることができる。本実施形態では、ＵＥ６０２は、最小ＳＩまたは定期的にブロードキャストされるＳＩによってＡＣＩ構造の層１を取得することができる。対応するサブカテゴリ化のためのアクセス制御ＯＮ／ＯＦＦインジケータがＯＦＦである場合、ＵＥ６０２は、ＡＣＩ構造の層２内の関連する制御パラメータの読み取りを停止するか、または無視することができる。対応するサブカテゴリ化のためのアクセス制御ＯＮ／ＯＦＦインジケータがＯＦＦである場合、ＵＥ６０２は、ＡＣＩ構造の層１における共通パラメータの読み取りを停止するか、または無視することもできる。ＵＥ６０２は、アクセス手順を実行するために動作６９８に進むことができる。一方、対応するサブカテゴリ化のためのアクセス制御ＯＮ／ＯＦＦインジケータがＯＮである場合、ＵＥ６０２は、適用する必要があるすべてのアクセス制御パラメータを取得するために、（他のＳＩまたは専用信号またはオンデマンドブロードキャストＳＩまたはオンデマンド他のＳＩを介して取得される）ＡＣＩ構造層２内の関連する制御パラメータをさらに読み取る必要がある。
【００８９】
ＵＥ６０２が、ＡＣＩ構造の層２について基地局６０４に要求を行う前に、ＵＥ６０２は、動作６９０において、層２における対応するサブカテゴリ化の値タグをチェックすることができる。値タグが変更または更新されていない（例えば、対応するサブカテゴリ化の値タグが、動作６８２で取得されたＡＡＣに含まれる値タグと同じである）場合、ＵＥ６０２は、動作６８２で取得されたＵＥ特有のＡＡＣを使用することができる。ＵＥ特有のＡＡＣは、ＵＥ６０２のアクセスクラス（例えば、サブカテゴリ化）、および、どのＲＡＣＨ（例えば、２ステップまたは４ステップまたは両方）が、各対応するアクセス試行の目的のためにＵＥ６０２に対して許可されるかについての情報を含むことができる。すなわち、ＵＥ６０２は、層２における対応するサブカテゴリ化の特定のパラメータを再び読み取る代わりに、動作６８２において受信されたＵＥ特定のＡＡＣに含まれる特定のパラメータを使用することができる。動作６９０で値タグチェックを実行することは、不必要なＡＣＩ読み取りオーバヘッドを回避することができる。値タグが更新された場合、ＵＥ６０２は、動作６９２ａ（例えば、他のＳＩ要求を通じてＡＣＩ構造の層２を要求するＵＥ６０２）および動作６９２ｂ（例えば、ＵＥ６０２からの要求に応じて他のＳＩを通じてＡＣＩ構造の層２を提供する基地局６０４、およびＡＣＩの層２を読み取るＵＥ６０２）に示されるように、ＡＣＩ構造層２（他のＳＩまたは専用シグナリングまたはオンデマンドブロードキャストＳＩを通じて取得され得る）において更新された特定のパラメータを要求および読み取る必要があるかもしれない。
【００９０】
動作６９４において、ＵＥ６０２が、対応するサブカテゴリ化に基づいてすべての特定のパラメータを渡す場合、ＵＥ６０２は、基地局６０４を介してＮＲネットワークにアクセスすることを許可され得る。そうでなければ、ＵＥ６０２は、ＡＣＩ構造の読み出した層１を再び読み出す前に、バックオフ時間を割り当てられてもよい。動作６９８では、ＵＥ６０２がＮＲネットワークにアクセスすることを許可されると、ＵＥ６０２は、ＡＣＩ構造の層２内の特定のパラメータに従うことによって、基地局６０４とのアクセス処理を実行することができる。ＵＥ６０２によって実行されるアクセス処理（例えば、ランダムアクセスを介したデータ送信、ＲＡＮ通知エリア（ＲＮＡ）更新）中に、基地局６０４は、ＵＥのＡＡＣ構成の更新を実行することもできる。アクセス段階内で、基地局６０４は、ＲＡＮ通知エリア更新を実行するための新しい／更新されたＵＥ特有のＡＡＣを提供することができ、また、ＵＥ６０２へのランダムアクセスを介してデータ送信を実行するためのＵＥ特有のＡＡＣを提供することができる。
【００９１】
図７Ａは、本出願の例示的な実施による、ＲＲＣ接続ＵＥのためのアクセス試行構成（ＡＡＣ）の送信を示す図である。図７Ｂは、本出願の例示的な実施による、ＲＲＣ接続ＵＥのためのアクセス制御情報（ＡＣＩ）の送信を示す図である。
【００９２】
図７Ａに示すように、動作７８１において、ＵＥ７０２はＲＲＣ接続状態にある。ＲＲＣ再構成処理の間、基地局７０４は、動作７８２において、ＲＲＣ再構成メッセージをＵＥ７０２に送信する。本実施形態では、ＲＲＣＲｅｃｏｎｆｉｇｕｒａｔｉｏｎメッセージは、ＵＥ特有のＡＡＣを含み、ＵＥ特有のＡＡＣは、基地局７０４（例えば、ｇＮＢ）によって構成され、ＵＥ７０２のアクセスクラス（例えば、サブカテゴリ化）を含む。本出願の一実施形態では、ＡＡＣ構成は、ＵＥ７０２が実行するアプリケーション、およびその関連するＱｏＳ要件によって決定される。さらに、ＲＲＣ接続状態ＵＥ７０２のためのＡＣＩ構造の層２（例えば、図４のＡＣＩ構造４００の層２）における現在値タグおよび／またはその対応する特定のパラメータも、各アクセス試行の目的／カテゴリのためのＲＲＣＲｅｃｏｎｆｉｇｕｒａｔｉｏｎメッセージに含めることができる。
【００９３】
図７Ｂに示すように、動作７８４において、ＲＲＣ接続状態のＵＥ７０２は、アクセス試行を生成する。動作７８６において、基地局７０４は、ＡＣＩ構造の層１（図４のＡＣＩ構造の層１）をＲＲＣ接続状態のＵＥ７０２に提供することができる。ＲＲＣ接続状態のＵＥ７０２は、動作７８６で基地局７０４から送信されたＡＣＩ構造の層１内のアクセス制御ＯＮ／ＯＦＦインジケータを読み取ることによって、その対応するサブカテゴリ化のためのアクセス制御インジケータがＯＮであるかＯＦＦであるかをチェックすることができる。本実施形態では、ＵＥ７０２は、最小ＳＩによって、または基地局７０４から周期的にブロードキャストされるＳＩによって、ＡＣＩ構造の層１を取得することができる。対応するサブカテゴリ化のためのアクセス制御ＯＮ／ＯＦＦインジケータがＯＦＦである場合、ＵＥ７０２は、ＡＣＩ構造の層２内の関連する制御パラメータの読み取りを停止するか、または無視することができる。対応するサブカテゴリ化のためのアクセス制御ＯＮ／ＯＦＦインジケータがＯＦＦである場合、ＵＥ７０２は、ＡＣＩ構造の層１における共通パラメータの読み取りを停止するか、または無視することもできる。ＵＥ７０２は、動作７９８に進み、アクセス処理を実行することができる。一方、対応するサブカテゴリ化のためのアクセス制御ＯＮ／ＯＦＦインジケータがＯＮである場合、ＵＥ７０２は、適用する必要があるすべてのアクセス制御パラメータを取得するために、（他のＳＩまたは専用信号またはオンデマンドブロードキャストＳＩまたはオンデマンドの他のＳＩを介して取得される）ＡＣＩ構造の層２内の関連する制御パラメータをさらに読み取る必要がある。
【００９４】
ＵＥ７０２が基地局７０４にＡＣＩ構造の層２を要求する前に、ＵＥ７０２は、動作７９０において、層２における対応するサブカテゴリ化の値タグをチェックすることができる。値タグが更新されていない（例えば、対応するサブカテゴリ化の値タグが、動作７８２で取得されたＡＡＣに含まれる値タグと同じである）場合、ＵＥ７０２は、ＵＥ７０２のアクセスクラス（例えば、サブカテゴリ化）を含む、動作７８２で取得されたＵＥ特有のＡＡＣを使用し得る。すなわち、ＵＥ７０２は、層２における対応するサブカテゴリ化の特定のパラメータを再び読み取る代わりに、動作７８２において受信されたＵＥ特定のＡＡＣに含まれる特定のパラメータを使用することができる。動作７９０において値タグチェックを実行することは、不必要なＡＣＩ読み取りオーバヘッドを回避することができる。値タグが更新された場合、ＵＥ７０２は、動作７９２ａ（例えば、ＵＥ７０２が他のＳＩ要求を通じてＡＣＩ構造の層２を要求する）、および、動作７９２ｂ（例えば、基地局７０４がＵＥ７０２からの要求に応じて、他のＳＩを通じてＡＣＩ構造の層２を提供し、ＵＥ７０２がＡＣＩの層２を読み取る）に示すように、ＡＣＩ構造の層２内の（他のＳＩまたは専用信号またはオンデマンドブロードキャストＳＩまたはオンデマンドの他のＳＩを通じて取得され得る）更新された特定のパラメータを要求し、読み取る必要がある。
【００９５】
動作７９４において、ＵＥ７０２が、対応するサブカテゴリ化に基づいてすべての特定のパラメータを渡す場合、ＵＥ７０２は、ＡＣＩ構造の層２における特定のパラメータに従うことによって、基地局７０４を介して、ＮＲネットワークにアクセスすることを許可され得る。そうでなければ、ＵＥ７０２は、ＡＣＩ構造の読み出した層１を再び読み出す前に、バックオフ時間を割り当てられてもよい。動作７９８では、ＵＥ７０２がＮＲネットワークにアクセスすることを許可されると、ＵＥ７０２は、基地局７０４とのアクセス処理を実行することができる。ＵＥ７０２によって実行されるアクセス処理（例えば、ランダムアクセスを介したデータ送信、ＲＡＮ通知エリア（ＲＮＡ）更新）中に、基地局７０４は、ＵＥのＡＡＣ構成の更新を実行することもできる。アクセス段階で、基地局７０４は、ＲＡＮ通知エリア更新を実行するための新しい／更新されたＵＥ特有のＡＡＣを提供することができ、また、ＵＥ７０２へのランダムアクセスを介してデータ送信を実行するためのＵＥ特有のＡＡＣを提供することができる。
【００９６】
図８は、本出願の様々な態様による、無線通信のためのノードのブロック図を示す。一実施形態では、ノード８００は、それぞれ図１Ａ／１Ｂ、２、３、６Ａ／６Ｂ、および７Ａ／７Ｂに関して説明したＵＥ１０２ａ／１０２ｂ、２０２、３０２、６０２、および７０２などの無線装置であり得る。別の実施形態では、ノード８００は、それぞれ図１Ａ／１Ｂ、２、３、６Ａ／６Ｂ、および７Ａ／７Ｂに関して説明した基地局１０４ａ／１０４ｂ、２０４、３０４、６０４、および７０４などのネットワークノードであり得る。
【００９７】
図８に示すように、ノード８００は、トランシーバ８２０、プロセッサ８２６、メモリ８２８、ひとつまたは複数の表示コンポーネント８３４、および少なくとも一つのアンテナ８３６を備える。ノード８００はまた、ＲＦスペクトル帯域モジュール、基地局通信モジュール、ネットワーク通信モジュール、およびシステム通信管理モジュール、入力／出力（Ｉ／Ｏ）ポート、Ｉ／Ｏコンポーネント、および電源（図８には明示的に示されていない）を含み得る。これらの構成要素のそれぞれは、１つまたは複数のバス８４０を介して、直接または間接的に、互いに通信することができる。
【００９８】
送信機８２２および受信機８２４を備えるトランシーバ８２０は、時間および／または周波数リソース分割情報を送信および／または受信するように構成され得る。いくつかの実施形態では、トランシーバ８２０は、使用可能、使用不可能、および柔軟に使用可能なサブフレームおよびスロットフォーマットを含むが、これらに限定されない、異なるタイプのサブフレームおよびスロットで送信するように構成され得る。トランシーバ８２０は、データおよび制御チャネルを受信するように構成され得る。
【００９９】
ノード８００は、様々なコンピュータ可読媒体を備えることができる。コンピュータ可読媒体は、ノード８００によってアクセスすることができ、揮発性および不揮発性媒体、リムーバブルおよび非リムーバブル媒体の両方を含む、任意の利用可能な媒体とすることができる。限定ではなく例として、コンピュータ可読媒体は、コンピュータ記憶媒体および通信媒体を含むことができる。コンピュータ記憶媒体は、コンピュータ読み取り可能命令、データ構造、プログラムモジュール、または他のデータなどの情報を記憶するための任意の方法または技術で実装される、揮発性および不揮発性、リムーバブルおよび非リムーバブル媒体の両方を含む。
【０１００】
コンピュータ記憶媒体は、ＲＡＭ、ＲＯＭ、ＥＥＰＲＯＭ、フラッシュメモリまたは他のメモリ技術、ＣＤ−ＲＯＭ、デジタル多用途ディスク（ＤＶＤ）または他の光ディスク記憶装置、磁気カセット、磁気テープ、磁気ディスク記憶装置または他の磁気記憶装置を含む。コンピュータ記憶媒体は、伝播データ信号を含まない。通信媒体は、典型的には、コンピュータ読み取り可能命令、データ構造、プログラムモジュール、または他のデータを、搬送波または他のトランスポート機構などの変調データ信号で具現化し、任意の情報配信媒体を含む。用語「変調されたデータ信号」は、その特性のうちの１つまたは複数が、信号内の情報を符号化するように設定または変更された信号を意味する。限定ではなく例として、通信媒体は、有線ネットワークまたは直接有線接続などの有線媒体と、音響、ＲＦ、赤外線、および他の無線媒体などの無線媒体とを含む。上記のいずれかの組合せも、コンピュータ可読媒体の範囲内に含まれるべきである。
【０１０１】
メモリ８２８は、揮発性および／または不揮発性メモリの形態のコンピュータ記憶媒体を含むことができる。メモリ８２８は、取り外し可能、取り外し不能、またはそれらの組み合わせであってもよい。例示的なメモリは、ソリッドステートメモリ、ハードドライブ、光ディスクドライブなどを含む。図８に示すように、メモリ８２８は、実行されると、プロセッサ８２６に、例えば、図１から図７Ｂを参照して本明細書で説明する様々な機能を実行させるように構成されたコンピュータ可読コンピュータ実行可能命令８３２（例えば、ソフトウェアコード）を格納することができる。あるいは、命令８３２は、プロセッサ８２６によって直接実行可能ではなく、ノード８００に（例えば、コンパイルされ実行されるときに）本明細書で説明される様々な機能を実行させるように構成されてもよい。
【０１０２】
プロセッサ８２６は、インテリジェントハードウェアデバイス、例えば、中央処理装置（ＣＰＵ）、マイクロコントローラ、ＡＳＩＣなどを含み得る。プロセッサ８２６は、メモリを含むことができる。プロセッサ８２６は、メモリ８２８から受信したデータ８３０および命令８３２、ならびにトランシーバ８２０、ベースバンド通信モジュール、および／またはネットワーク通信モジュールを介した情報を処理することができる。プロセッサ８２６は、
また、トランシーバ８２０に送信され、アンテナ８３６を介して、コアネットワークへの送信のためにネットワーク通信モジュールに送信すべき情報を処理することができる。
【０１０３】
１つまたは複数の表示コンポーネント８３４は、個人または他のデバイスにデータ表示を提示する。例示的な１つまたは複数の表示コンポーネント８３４は、表示デバイス、スピーカー、印刷コンポーネント、振動コンポーネントなどを含む。
【０１０４】
本出願の実施態様によれば、アクセス試行構成（ＡＡＣ）は、基地局によってブロードキャストされたメッセージに基づいて、基地局またはＵＥによって構成されることができる。ＡＡＣは、ＵＥのアクセスクラス、および／またはＡＣＩ構造デフォルトおよび／または現在の設定の情報を含み得る。ＵＥアクセスクラス割り当ては、ＵＥ  ＩＤ、ＱｏＳ要件、データサイズなどに基づくことができる。例えば、従来のアクセス制御方法は、ＵＥにおいて事前に定義され、製造プロセスの後に固定される（例えば、ＵＥに格納される）ＵＥの特定のアクセスクラスまたはアプリケーションに基づいて、トラフィック制御を提供することができる。基地局は、ＵＥから直接それを読み取ることによって、特定のアクセスクラスまたはアプリケーションを拒否または許可することができる。これは、単純かつ直接的な処理であるが、このタイプのアクセス制御は、柔軟性を提供せず、ネットワークにおける無線リソースの非効率的な使用をもたらし得る。対照的に、本出願の実施態様は、動的に割り当てられ、選択されることができる異なるパラメータに基づいてアクセス制御を提供する。
【０１０５】
例えば、ＵＥが属するカテゴリ化およびサブカテゴリ化は、ＵＥが基地局のセルカバレージ領域に入った後に決定される。基地局は、現在のトラフィック状態などの要因に基づいて構成およびパラメータを決定する。したがって、基地局は、ＵＥのサブカテゴリ化を動的に割り当てることができる。これは、基地局が非常に小さな粒度を有することを可能にする。アクセス制御方法は、トラフィックおよびリソース状態に基づいて無線リソースを動的に割り当てることができ、これにより、ネットワークは、優先度の高いトラフィック／データ／アプリケーションのために無線リソースを保存することができる。さらに、本出願の実施態様によるＡＣＩ構造は、階層構造である。基本パラメータは、層１にリストされている。層２は、デルタ情報を含むことができる。基地局は、これらのパラメータのＯＮ／ＯＦＦを制御する。例えば、基地局の負荷は軽く、全てのパラメータはオフであれば、全てのＵＥは、アクセスを許可される。しかしながら、負荷が大きい場合、基地局は、階層に基づいて、どのＵＥが最初にアクセスすることができるかを決定するために、階層化ＡＣＩ構造を構成することができる。ＡＣＩ構造は、基地局が、ＵＥがどのクラスに属するかを判定し、任意の所与のポイントにおいて、どのタイプのＵＥがアクセスを得ることができるか、または、アクセス制御スキームに耐えることができるかを判定することを可能にする。
【０１０６】
上記の説明から、様々な技術が、これらの概念の範囲から逸脱することなく、本出願で説明される概念を実行するために使用され得ることが明らかである。さらに、概念は、特定の実施形態を特に参照して説明されてきたが、当業者は、それらの概念の範囲から逸脱することなく、形態および詳細において変更を行うことができることを認識するであろう。したがって、説明された実施形態は、すべての点において、例示的なものであり、限定的なものではないと考えられるべきである。また、本出願は、上述の特定の実施形態に限定されるものではなく、本開示の範囲から逸脱することなく、多くの再構成、修正、および置換が可能であることを理解されたい。
【符号の説明】
【０１０７】
１００・・・無線通信システム
１０２ａ、１０２ｂ、２０２、３０２、６０２、７０２・・・ＵＥ
１０４ａ、１０４ｂ、２０４、３０４、６０４、７０４・・・基地局
１０６ａ、１０６ｂ・・・サービスエリア
４００・・・ＡＣＩ構造
８００・・・ノード
８２０・・・トランシーバ
８２２・・・送信機
８２４・・・受信機
８２６・・・プロセッサ
８２８・・・メモリ
８３０・・・データ
８３２・・・コンピュータ可読コンピュータ実行可能命令
８３４・・・表示コンポーネント
８３６・・・アンテナ
８４０・・・バス
【図１】
2020511855.tif 000003
【図２】
2020511855.tif 000004
【図３】
2020511855.tif 000005
【図４】
2020511855.tif 000006
【図５】
2020511855.tif 000007
【図６Ａ】
2020511855.tif 000008
【図６Ｂ】
2020511855.tif 000009
【図７Ａ】
2020511855.tif 000010
【図７Ｂ】
2020511855.tif 000011
【図８】
2020511855.tif 000012
【国際調査報告】
2020511855.tif 000013
2020511855.tif 000014